(57)【特許請求の範囲】
【請求項１】
動作モードに応じたフレームレートの動画信号を生成する画像処理手段と、
前記動画信号を用いて第１の出力信号を生成する第１の出力信号生成手段と、
前記動画信号を用いて前記第１の出力信号と異なる第２の出力信号を生成する第２の出力信号生成手段と、
前記動画信号を用いて前記第１の出力信号及び前記第２の出力信号と異なる第３の出力信号を生成する第３の出力信号生成手段と、
前記動画信号を用いて前記第１の出力信号、前記第２の出力信号及び前記第３の出力信号と異なる第４の出力信号を生成する第４の出力信号生成手段と、
前記動作モードが第１の動作モードである場合に、前記第１の出力信号、前記第２の出力信号、前記第３の出力信号及び前記第４の出力信号のいずれかの出力信号を選択し、前記動作モードが第２の動作モードである場合に、前記第１の出力信号及び前記第２の出力信号を選択せず、前記第３の出力信号及び前記第４の出力信号のいずれかの出力信号を選択する選択手段と、
前記選択手段によって選択された出力信号を出力する出力端子と、
を有することを特徴とする画像出力装置。
【請求項２】
前記動画信号を記憶媒体に記憶させる記憶手段をさらに有することを特徴とする請求項１に記載の画像出力装置。
【請求項３】
前記第１の出力信号、前記第２の出力信号、前記第３の出力信号、及び前記第４の出力信号のうちいずれかの出力信号を示すタイプ情報を設定する設定手段をさらに有し、
前記選択手段は、前記動作モードが前記第１の動作モードである場合に、前記タイプ情報が示す出力信号を選択し、
前記動作モードが前記第２の動作モードであり、かつ前記タイプ情報が前記第１の出力信号または前記第２の出力信号を示す場合に、前記第３の出力信号および前記第４の出力信号のいずれかの出力信号を選択し、
前記動作モードが前記第２の動作モードであり、かつ前記タイプ情報が前記第３の出力信号または前記第４の出力信号を示す場合に、前記タイプ情報が示す出力信号を選択することを特徴とする請求項１または２に記載の画像出力装置。
【請求項４】
前記タイプ情報が示す出力信号と異なる出力信号が出力されることをユーザに通知する通知手段をさらに有することを特徴とする請求項３に記載の画像出力装置。
【請求項５】
前記第１の出力信号は、コンポジットビデオ信号であり、
前記第２の出力信号は、ブラックバースト信号であり、
前記動作モードが前記第２の動作モードである場合に、前記画像処理手段は、フレームレートが２４．００ｐの動画信号を生成することを特徴とする請求項１から４のいずれか１項に記載の画像出力装置。
【請求項６】
前記第１の出力信号は、コンポジットビデオ信号であり、
前記第２の出力信号は、ブラックバースト信号であり、
前記第３の出力信号は、ＨＤコンポーネント輝度信号であり、
前記第４の出力信号は、３値同期信号であることを特徴とする請求項１から５のいずれか１項に記載の画像出力装置。
【請求項７】
前記出力端子は、ＢＮＣコネクタを有することを特徴とする請求項１から６のいずれか１項に記載の画像出力装置。
【請求項８】
画像データを生成する撮像手段をさらに有し、
前記画像処理手段は、前記画像データを用いて前記動画信号を生成することを特徴とする請求項１から７のいずれか１項に記載の画像出力装置。
【発明の詳細な説明】
【技術分野】
【０００１】
本発明は、タイプの異なる複数の出力信号を一つの出力端子から出力することができる画像出力装置に関する。
【背景技術】
【０００２】
特許文献１及び２には、フレームレートが「２４．００ｐ」である画像信号を生成することができるビデオカメラが記載されている。特許文献３には、複数の入出力インターフェースのコネクタを１つの共用コネクタにすることが記載されている。
【先行技術文献】
【特許文献】
【０００３】
【特許文献１】特開２００５−３９７０７号公報
【特許文献２】特開２００６−１９１３０７号公報
【特許文献３】特開平１０−６９３３９号公報
【発明の概要】
【発明が解決しようとする課題】
【０００４】
従来のビデオカメラの中には、タイプの異なる複数の出力端子を有するビデオカメラが存在する。例えば、ＳＤＩ（Ｓｅｒｉａｌ  Ｄｉｇｉｔａｌ  Ｉｎｔｅｒｆａｃｅ）端子と、コンポジット端子とを有するビデオカメラが存在する。通常、ＳＤＩ端子はＨＤ（Ｈｉｇｈ  Ｄｅｆｉｎｉｔｉｏｎ）画像信号の出力に用いられ、コンポジット端子はＳＤ（Ｓｔａｎｄａｒｄ  Ｄｅｆｉｎｉｔｉｏｎ）画像信号の出力に用いられる。また、従来のビデオカメラの中には、同期信号を出力するための同期信号出力端子を有するビデオカメラが存在する。ＳＤＩ端子、コンポジット端子及び同期信号出力端子を一つの出力端子にまとめることができれば、ビデオカメラの更なる小型化とコストダウンを進めることができる。ＳＤＩ端子、コンポジット端子及び同期信号出力端子を一つの出力端子にまとめる場合には、タイプの異なる複数の出力信号（ＨＤ画像信号、ＳＤ画像信号、同期信号等）をどのようにして選択的に出力できるようにするのかが問題となる。また、ＳＤＩ端子、コンポジット端子及び同期信号出力端子を一つの出力端子にまとめる場合には、ユーザにとっての使いやすさに配慮することも求められる。
【０００５】
そこで、本発明は、タイプの異なる複数の出力信号（ＨＤ画像信号、ＳＤ画像信号、同期信号等）を一つの出力端子から選択的に出力できるようにすることを目的とする。
【課題を解決するための手段】
【０００６】
本発明に係る画像出力装置は、動作モードに応じたフレームレートの動画信号を生成する画像処理手段と、前記動画信号を用いて第１の出力信号を生成する第１の出力信号生成手段と、前記動画信号を用いて前記第１の出力信号と異なる第２の出力信号を生成する第２の出力信号生成手段と、前記動画信号を用いて前記第１の出力信号及び前記第２の出力信号と異なる第３の出力信号を生成する第３の出力信号生成手段と、前記動画信号を用いて前記第１の出力信号、前記第２の出力信号及び前記第３の出力信号と異なる第４の出力信号を生成する第４の出力信号生成手段と、前記動作モードが第１の動作モードである場合に、前記第１の出力信号、前記第２の出力信号、前記第３の出力信号及び前記第４の出力信号のいずれかの出力信号を選択し、前記動作モードが第２の動作モードである場合に、前記第１の出力信号及び前記第２の出力信号を選択せず、前記第３の出力信号及び前記第４の出力信号のいずれかの出力信号を選択する選択手段と、前記選択手段によって選択された出力信号を出力する出力端子と、を有することを特徴とする。
【発明の効果】
【０００７】
本発明によれば、タイプの異なる複数の出力信号（ＨＤ画像信号、ＳＤ画像信号、同期信号等）を一つの出力端子から選択的に出力することができる。
【図面の簡単な説明】
【０００８】
【図１】本発明の実施形態１〜３に係る画像出力装置１００が有する構成要素の一例を示すブロック図である。
【図２】本発明の実施形態１〜３に係る出力制御部１０６が有する構成要素の一例を示すブロック図である。
【図３】本発明の実施形態１〜３に係る画像出力装置１００で実行される設定処理ＰＳ１を説明するためのフローチャートである。
【図４】本発明の実施形態１に係る画像出力装置１００で実行される出力信号制御処理ＰＳ２を説明するためのフローチャートである。
【図５】本発明の実施形態２に係る画像出力装置１００で実行される出力信号制御処理ＰＳ３を説明するためのフローチャートである。
【図６】本発明の実施形態３に係る画像出力装置１００で実行される出力信号制御処理ＰＳ４を説明するためのフローチャートである。
【図７】本発明の実施形態１〜３に係る画像出力装置１００の動作モードと、画像出力装置１００内で生成される動画像データＭＶと、出力信号Ｓ１〜Ｓ４との関係を説明するための図である。
【発明を実施するための形態】
【０００９】
以下、図面を参照して本発明の実施形態を説明する。
【００１０】
［実施形態１］
図１は、本発明の実施形態１〜３に係る画像出力装置１００が有する構成要素の一例を示すブロック図である。
【００１１】
図１に示す画像出力装置１００は、ビデオカメラなどの撮像装置として動作可能な装置である。図１に示す画像出力装置１００はさらに、携帯電話、パーソナルコンピュータ、携帯端末、画像記録装置、画像再生装置のうちの少なくとも一つとして動作可能な装置であってもよい。
【００１２】
画像出力装置１００は、図１に示すように、撮像部１０１、画像処理部１０２、記録再生部１０３、記憶媒体１０４、出力信号生成部１０５、出力制御部１０６及び出力端子１０７を有する。画像出力装置１００はさらに、Ｐメモリ１０８、制御部１０９、ＵＩ部１１０、表示部１１１及びＳメモリ１１２を有する。
【００１３】
画像出力装置１００は、カメラモードＣ１〜Ｃ１０及び再生モードＰ１を含む複数の動作モードを有する。ユーザは、ＵＩ部１１０を操作することにより、画像出力装置１００の動作モードをカメラモードＣ１〜Ｃ１０及び再生モードＰ１のうちのいずれかに変更することができる。カメラモードＣ１〜Ｃ１０は、撮影画像データから動画像データＭＶを生成し、動画像データＭＶからタイプの異なる複数の出力信号Ｓ１〜Ｓ４を生成するための動作モードである。再生モードＰ１は、制御部１０９によって指定された動画ファイルを記憶媒体１０４から再生するための動作モードである。
【００１４】
撮像部１０１は、レンズ部１０１ａ、撮像素子１０１ｂ、Ａ／Ｄコンバータ１０１ｃ、撮影制御部１０１ｄ等を有し、これらを用いて光学像からアナログ画像信号と画像データとを生成する。レンズ部１０１ａは、撮像レンズと、ズームレンズと、フォーカスレンズと、アイリス機構とを有する。撮像素子１０１ｂは、例えば、ベイヤー配列型の撮像素子である。撮像素子１０１ｂの画素数は、例えば、３８４０×２１６０である。撮像素子１０１ｂの各色（Ｒ，Ｇｒ，Ｇｂ及びＢ）の画素数は、例えば、１９２０×１０８０である。撮像素子１０１ｂは、レンズ部１０１ａを介して得られた光学像からアナログ画像信号を生成する。撮像素子１０１ｂで生成されたアナログ画像信号は、Ａ／Ｄコンバータ１０１ｃに供給される。Ａ／Ｄコンバータ１０１ｃは、撮像素子１０１ｂで生成されたアナログ画像信号から撮影画像データを生成する。Ａ／Ｄコンバータ１０１ｃで生成された撮影画像データは、画像処理部１０２に供給される。Ａ／Ｄコンバータ１０１ｃで生成された撮影画像データは、複数の静止画像からなる動画像を含む。撮影制御部１０１ｄは、制御部１０９からの指示に従って、レンズ部１０１ａ、撮像素子１０１ｂ及びＡ／Ｄコンバータ１０１ｃを制御する。
【００１５】
画像処理部１０２は、撮像部１０１から供給された撮影画像データに所定の画像処理を行い、所定の画像処理が行われた撮影画像データから動画像データＭＶを生成する。所定の画像処理は、画質の調整、ホワイトバランスの調整、水平画素数及び垂直画素数の変更等を含む。画像処理部１０２で生成された動画像データＭＶは、記録再生部１０３及び出力信号生成部１０５に供給される。
【００１６】
画像出力装置１００の動作モードがカメラモードＣ１である場合、画像処理部１０２は、画素数及びフレームレートが「１９２０×１０８０」及び「５９．９４ｉ」である動画像データＭＶを生成する。
【００１７】
画像出力装置１００の動作モードがカメラモードＣ２である場合、画像処理部１０２Ｃ２は、画素数及びフレームレートが「１９２０×１０８０」及び「２９．９７ｐ」である動画像データＭＶを生成する。
【００１８】
画像出力装置１００の動作モードがカメラモードＣ３である場合、画像処理部１０２は、画素数及びフレームレートが「１９２０×１０８０」及び「５０ｉ」である動画像データＭＶを生成する。
【００１９】
画像出力装置１００の動作モードがカメラモードＣ４である場合、画像処理部１０２は、画素数及びフレームレートが「１９２０×１０８０」及び「２５ｐ」である動画像データＭＶを生成する。
【００２０】
画像出力装置１００の動作モードがカメラモードＣ５である場合、画像処理部１０２は、画素数及びフレームレートが「１９２０×１０８０」及び「２４．００ｐ」である動画像データＭＶを生成する。
【００２１】
画像出力装置１００の動作モードがカメラモードＣ６である場合、画像処理部１０２は、画素数及びフレームレートが「１２８０×７２０」及び「５９．９４ｐ」である動画像データＭＶを生成する。
【００２２】
画像出力装置１００の動作モードがカメラモードＣ７である場合、画像処理部１０２は、画素数及びフレームレートが「１２８０×７２０」及び「２９．９７ｐ」である動画像データＭＶを生成する。
【００２３】
画像出力装置１００の動作モードがカメラモードＣ８である場合、画像処理部１０２は、画素数及びフレームレートが「１２８０×７２０」及び「５０ｐ」である動画像データＭＶを生成する。
【００２４】
画像出力装置１００の動作モードがカメラモードＣ９である場合、画像処理部１０２は、画素数及びフレームレートが「１２８０×７２０」及び「２５ｐ」である動画像データＭＶを生成する。
【００２５】
画像出力装置１００の動作モードがカメラモードＣ１０である場合、画像処理部１０２は、画素数及びフレームレートが「１２８０×７２０」及び「２４．００ｐ」である動画像データＭＶを生成する。
【００２６】
ここで、「５９．９４ｉ」及び「５０ｉ」の「ｉ」はインターレースモードを示し、「５９．９４ｐ」、「５０ｐ」、「２９．９７ｐ」、「２５ｐ」及び「２４．００ｐ」の「ｐ」はプログレッシブモードを示す。
【００２７】
記録再生部１０３は、画像処理部１０２から供給された動画像データＭＶと、音声入力部（不図示）で生成された音声データＡＵと、補助データＡＵＸとを含む動画ファイルを生成する。補助データＡＵＸは、動画像データＭＶに関するデータと、音声データＡＵに関するデータとを含む。記録再生部１０３は、制御部１０９からの指示に従って、記録再生部１０３で生成された動画ファイルを記憶媒体１０４に記録（格納）することができる。記録再生部１０３で生成される動画ファイルのファイル形式は、どのようなファイル形式であってもよい。ＭＰＥＧ−２、ＭＰＥＧ−４、Ｈ．２６４、ＡＶＣＨＤ（Ａｄｖａｎｃｅｄ  Ｖｉｄｅｏ  Ｃｏｄｅｃ  Ｈｉｇｈ  Ｄｅｆｉｎｉｔｉｏｎ）等は、記録再生部１０３で生成される動画ファイルのファイル形式の一例である。ＭＸＦ（Ｍａｔｅｒｉａｌ  ｅＸｃｈａｎｇｅ  Ｆｏｒｍａｔ）も、記録再生部１０３で生成される動画ファイルのファイル形式の一例である。
【００２８】
記録再生部１０３は、制御部１０９によって指定された動画ファイルを記憶媒体１０４から再生することもできる。記憶媒体１０４から再生された動画ファイル内の動画像データＭＶは、表示部１１１に供給され、表示部１１１に表示される。記憶媒体１０４から再生された動画ファイル内の音声データＡＵは、音声出力部（不図示）に供給され、当該音声出力部から出力される。記憶媒体１０４から再生された動画ファイル内の補助データＡＵＸは、制御部１０９に供給される。
【００２９】
記憶媒体１０４は、画像出力装置１００に内蔵された記憶媒体、画像出力装置１００から取り外し可能な記憶媒体のいずれかである。記憶媒体１０４は、例えば、半導体メモリ、ＨＤＤ（Ｈａｒｄ  Ｄｉｓｋ  Ｄｒｉｖｅ）装置を有する。
【００３０】
出力信号生成部１０５は、タイプの異なる複数の出力信号Ｓ１〜Ｓ４を生成する。ただし、出力信号生成部１０５は、５つ以上のタイプの異なる出力信号を生成できるように構成してもよい。
【００３１】
タイプの異なる複数の出力信号Ｓ１〜Ｓ４を生成するため、出力信号生成部１０５は、第１の出力信号生成部１０５ａ、第２の出力信号生成部１０５ｂ、第３の出力信号生成部１０５ｃ及び第４の出力信号生成部１０５ｄを有する。
【００３２】
第１の出力信号生成部１０５ａは、図７に示すように、画像処理部１０２から供給された動画像データＭＶから出力信号Ｓ１を生成する。出力信号Ｓ１は、第１の出力信号である。実施形態１〜３において、出力信号Ｓ１は、ＳＤ（Ｓｔａｎｄａｒｄ  Ｄｅｆｉｎｉｔｉｏｎ）画像信号を含むコンポジットビデオ（Ｃｏｍｐｏｓｉｔｅ）信号である。
【００３３】
画像出力装置１００の動作モードがカメラモードＣ１、Ｃ２、Ｃ６又はＣ７である場合、第１の出力信号生成部１０５ａで生成される出力信号Ｓ１の画素数及びフレームレートは、「７２０×４８０」及び「５９．９４ｉ」である。
【００３４】
画像出力装置１００の動作モードがカメラモードＣ３、Ｃ４、Ｃ８又はＣ９である場合、第１の出力信号生成部１０５ａで生成される出力信号Ｓ１の画素数及びフレームレートは、「７２０×５７６」及び「５０ｉ」である。
【００３５】
画像出力装置１００の動作モードがカメラモードＣ５又はＣ１０である場合、第１の出力信号生成部１０５ａで生成される出力信号Ｓ１の画素数及びフレームレートは、「７２０×４８０」及び「６０ｉ」である。
【００３６】
第２の出力信号生成部１０５ｂは、図７に示すように、画像処理部１０２から供給された動画像データＭＶから出力信号Ｓ２を生成する。出力信号Ｓ２は、出力信号Ｓ１と異なる第２の出力信号である。実施形態１〜３において、出力信号Ｓ２は、第１の同期信号であるブラックバースト（Ｂｌａｃｋ  Ｂｕｒｓｔ）信号である。第２の出力信号生成部１０５ｂは、出力信号Ｓ１（コンポジットビデオ信号）から出力信号Ｓ２（ブラックバースト信号）を生成するように構成されている。例えば、第２の出力信号生成部１０５ｂは、出力信号Ｓ１（コンポジットビデオ信号）の映像部を黒レベルの信号に置き換えることにより、出力信号Ｓ１（コンポジットビデオ信号）から出力信号Ｓ２（ブラックバースト信号）を生成する。
【００３７】
画像出力装置１００の動作モードがカメラモードＣ１、Ｃ２、Ｃ６又はＣ７である場合、第２の出力信号生成部１０５ｂで生成される出力信号Ｓ２の画素数及びフレームレートは、「７２０×４８０」及び「５９．９４ｉ」である。
【００３８】
画像出力装置１００の動作モードがカメラモードＣ３、Ｃ４、Ｃ８又はＣ９である場合、第２の出力信号生成部１０５ｂで生成される出力信号Ｓ２の画素数及びフレームレートは、「７２０×５７６」及び「５０ｉ」である。
【００３９】
画像出力装置１００の動作モードがカメラモードＣ５又はＣ１０である場合、第２の出力信号生成部１０５ｂで生成される出力信号Ｓ２の画素数及びフレームレートは、「７２０×４８０」及び「６０ｉ」である。
【００４０】
第３の出力信号生成部１０５ｃは、図７に示すように、画像処理部１０２から供給された動画像データＭＶから出力信号Ｓ３を生成する。出力信号Ｓ３は、出力信号Ｓ１及び出力信号Ｓ２と異なる第３の出力信号である。実施形態１〜３において、出力信号Ｓ３は、ＨＤ（Ｈｉｇｈ  Ｄｅｆｉｎｉｔｉｏｎ）画像の輝度信号を含むＨＤコンポーネント（Ｈｉｇｈ  Ｄｅｆｉｎｉｔｉｏｎ  Ｃｏｍｐｏｎｅｎｔ）輝度信号である。なお、出力信号Ｓ３は、ＨＤ画像の輝度信号及び色差信号を含むＨＤコンポーネント信号であってもよい。
【００４１】
画像出力装置１００の動作モードがカメラモードＣ１又はＣ２である場合、第３の出力信号生成部１０５ｃで生成される出力信号Ｓ３の画素数及びフレームレートは、「１９２０×１０８０」及び「５９．９４ｉ」である。
【００４２】
画像出力装置１００の動作モードがカメラモードＣ３又はＣ４である場合、第３の出力信号生成部１０５ｃで生成される出力信号Ｓ３の画素数及びフレームレートは、「１９２０×１０８０」及び「５０ｉ」である。
【００４３】
画像出力装置１００の動作モードがカメラモードＣ５である場合、第３の出力信号生成部１０５ｃで生成される出力信号Ｓ３の画素数及びフレームレートは、「１９２０×１０８０」及び「６０ｉ」である。
【００４４】
画像出力装置１００の動作モードがカメラモードＣ６又はＣ７である場合、第３の出力信号生成部１０５ｃで生成される出力信号Ｓ３の画素数及びフレームレートは、「１２８０×７２０」及び「５９．９４ｐ」である。
【００４５】
画像出力装置１００の動作モードがカメラモードＣ８又はＣ９である場合、第３の出力信号生成部１０５ｃで生成される出力信号Ｓ３の画素数及びフレームレートは、「１２８０×７２０」及び「５０ｐ」である。
【００４６】
画像出力装置１００の動作モードがカメラモードＣ１０である場合、第３の出力信号生成部１０５ｃで生成される出力信号Ｓ３の画素数及びフレームレートは、「１２８０×７２０」及び「６０ｐ」である。
【００４７】
第４の出力信号生成部１０５ｄは、図７に示すように、画像処理部１０２から供給された動画像データＭＶから出力信号Ｓ４を生成する。出力信号Ｓ４は、出力信号Ｓ１、出力信号Ｓ２及び出力信号Ｓ３と異なる第４の出力信号である。実施形態１〜３において、出力信号Ｓ４は、第２の同期信号である３値同期（Ｔｒｉ−ｌｅｖｅｌ  Ｓｙｎｃ）信号である。第４の出力信号生成部１０５ｄは、出力信号Ｓ３（ＨＤコンポーネント輝度信号）から出力信号Ｓ４（３値同期信号）を生成するように構成されている。例えば、第４の出力信号生成部１０５ｄは、出力信号Ｓ３（ＨＤコンポーネント輝度信号）の映像部を黒レベルの信号に置き換えることにより、出力信号Ｓ３（ＨＤコンポーネント輝度信号）から出力信号Ｓ４（３値同期信号）を生成する。
【００４８】
画像出力装置１００の動作モードがカメラモードＣ１又はＣ２である場合、第４の出力信号生成部１０５ｄで生成される出力信号Ｓ４の画素数及びフレームレートは、「１９２０×１０８０」及び「５９．９４ｉ」である。
【００４９】
画像出力装置１００の動作モードがカメラモードＣ３又はＣ４である場合、第４の出力信号生成部１０５ｄｃで生成される出力信号Ｓ４の画素数及びフレームレートは、「１９２０×１０８０」及び「５０ｉ」である。
【００５０】
画像出力装置１００の動作モードがカメラモードＣ５である場合、第４の出力信号生成部１０５ｄで生成される出力信号Ｓ４の画素数及びフレームレートは、「１９２０×１０８０」及び「６０ｉ」である。
【００５１】
画像出力装置１００の動作モードがカメラモードＣ６又はＣ７である場合、第４の出力信号生成部１０５ｄで生成される出力信号Ｓ４の画素数及びフレームレートは、「１２８０×７２０」及び「５９．９４ｐ」である。
【００５２】
画像出力装置１００の動作モードがカメラモードＣ８又はＣ９である場合、第４の出力信号生成部１０５ｄで生成される出力信号Ｓ４の画素数及びフレームレートは、「１２８０×７２０」及び「５０ｐ」である。
【００５３】
画像出力装置１００の動作モードがカメラモードＣ１０である場合、第４の出力信号生成部１０５ｄで生成される出力信号Ｓ４の画素数及びフレームレートは、「１２８０×７２０」及び「６０ｐ」である。
【００５４】
出力制御部１０６は、制御部１０９からの指示に従って、複数の出力信号Ｓ１〜Ｓ４のうちの一つを選択することができる。出力制御部１０６によって選択された信号は、出力信号ＳＳとして出力端子１０７に供給される。
【００５５】
出力端子１０７は、アナログビデオ信号又は同期信号を出力するための出力端子である。出力端子１０７は、ＢＮＣ（Ｂａｙｏｎｅｔ  Ｎｅｉｌｌ  Ｃｏｎｃｅｌｍａｎ）コネクタを有し、出力信号ＳＳをＢＮＣコネクタを介して画像出力装置１００の外部に出力する。出力端子１０７から出力された出力信号ＳＳは、外部装置ＥＸに入力される。テレビモニタ、ビデオカメラなどが外部装置ＥＸとなる。垂直同期信号が５９．９４Ｈｚである通常のテレビモニタは、外部装置ＥＸの一つである。
【００５６】
Ｐメモリ１０８は、画像出力装置１００を制御するための１つ以上のプログラムを格納したメモリである。
【００５７】
制御部１０９は、プロセッサ１０９ａ、Ｗメモリ１０９ｂ等を有する。プロセッサ１０９ａは、Ｐメモリ１０８に格納されている１つ以上のプログラムに従って動作する。Ｗメモリ１０９ｂは、プロセッサ１０９ａ用のワークメモリである。制御部１０９は、Ｐメモリ１０８に格納されている１つ以上のプログラムと、プロセッサ１０９ａと、Ｗメモリ１０９ｂとを用いて、画像出力装置１００を制御することができる。
【００５８】
ＵＩ部１１０は、ユーザからの指示を受け付けるためのユーザインターフェースを有する。ユーザからの指示は、ＵＩ部１１０を介して制御部１０９に入力される。その結果、制御部１０９は、ユーザからの指示に従って画像出力装置１００を制御する。画像出力装置１００の電源をオンまたはオフにするためのスイッチは、画像出力装置１００に含まれる。画像出力装置１００の動作モードを選択するためのスイッチも、画像出力装置１００に含まれる。動画像データＭＶの記録の開始と、動画像データＭＶの記録の一時停止とを指示するためのスイッチも、画像出力装置１００に含まれる。
【００５９】
表示部１１１は、画像出力装置１００に関する様々な情報をユーザに通知するための通知手段として動作する。
【００６０】
Ｓメモリ１１２は、画像出力装置１００に関する様々な情報を格納するメモリである。
【００６１】
図２は、本発明の実施形態１〜３に係る出力制御部１０６が有する構成要素の一例を示すブロック図である。
【００６２】
出力制御部１０６は、選択部２０１、ドライバ２０２及び終端抵抗２０３を有する。
【００６３】
選択部２０１は、制御部１０９からの指示に従って、複数の出力信号Ｓ１〜Ｓ４のうちの一つを選択する。選択部２０１によって選択された出力信号は、出力信号ＳＳとしてドライバ２０２に供給される。
【００６４】
ドライバ２０２は、選択部２０１から供給された出力信号ＳＳの電圧振幅を増幅させる信号増幅回路を有する。ドライバ２０２で増幅された出力信号ＳＳは、終端抵抗２０３を介して出力端子１０７に供給される。終端抵抗２０３の抵抗値は、例えば、７５Ωである。
【００６５】
図３は、本発明の実施形態１〜３に係る画像出力装置１００で実行される設定処理ＰＳ１を説明するためのフローチャートである。制御部１０９がＰメモリ１０８に格納されている１つ以上のプログラムを実行することにより、画像出力装置１００は設定処理ＰＳ１を実行することができる。
【００６６】
ステップＳ３０１において、制御部１０９は、設定メニューＭ１の表示を行うか否かを判定する。設定メニューＭ１は、出力端子１０７から出力される出力信号ＳＳのタイプを変更するためのメニューである。ユーザは、ＵＩ部１１０を操作することにより、設定メニューＭ１の表示を行うことを画像出力装置１００に要求することができる。設定メニューＭ１の表示の要求を制御部１０９が検出できた場合、制御部１０９は、ステップＳ３０１からステップＳ３０２に進む（ステップＳ３０１でＹＥＳ）。設定メニューＭ１の表示の要求を制御部１０９が検出できなかった場合、制御部１０９は、ステップＳ３０１に戻る（ステップＳ３０１でＮＯ）。
【００６７】
ステップＳ３０２において、制御部１０９は、設定メニューＭ１を表示部１１１に表示する。ユーザは、ＵＩ部１１０を用いて設定メニューＭ１を操作することにより、複数のタイプの中から一つのタイプを選択することができる。
【００６８】
ステップＳ３０３において、制御部１０９は、ユーザによって選択されたタイプを判定する。
【００６９】
ユーザによって選択されたタイプが「ｔｙ１」である場合、制御部１０９は、ステップＳ３０３からステップＳ３０４に進む（ステップＳ３０３でｔｙ１）。ｔｙ１は、「コンポジットビデオ信号」を示す。
【００７０】
ユーザによって選択されたタイプが「ｔｙ２」である場合、制御部１０９は、ステップＳ３０３からステップＳ３０５に進む（ステップＳ３０３でｔｙ２）。ｔｙ２は、「ブラックバースト信号」を示す。
【００７１】
ユーザによって選択されたタイプが「ｔｙ３」である場合、制御部１０９は、ステップＳ３０３からステップＳ３０６に進む（ステップＳ３０３でｔｙ３）。ｔｙ３は、「ＨＤコンポーネント輝度信号」を示す。
【００７２】
ユーザによって選択されたタイプが「ｔｙ４」である場合、制御部１０９は、ステップＳ３０３からステップＳ３０７に進む（ステップＳ３０３でｔｙ４）。ｔｙ４は、「３値同期信号」を示す。
【００７３】
ステップＳ３０４において、制御部１０９は、Ｓメモリ１１２に格納されている設定値Ｘ１を「ｔｙ１」に変更する。設定値Ｘ１が「ｔｙ１」に変更されることにより、出力端子１０７から出力される出力信号ＳＳのタイプはコンポジットビデオ信号に変更される。設定値Ｘ１が「ｔｙ１」に変更された場合、制御部１０９は、通知情報ｉ３１を表示部１１１の所定の領域Ａ１に表示する。通知情報ｉ３１は、出力端子１０７から出力される出力信号ＳＳのタイプがコンポジットビデオ信号に設定されていることを示す。通知情報ｉ３１は、１つ以上の文字、１つ以上の記号、１つ以上の画像の少なくとも一つから構成されている。表示部１１１の所定の領域Ａ１に表示された通知情報ｉ３１を見ることにより、ユーザは、出力端子１０７から出力される出力信号ＳＳのタイプがコンポジットビデオ信号に設定されていることを知ることができる。
【００７４】
ステップＳ３０５において、制御部１０９は、Ｓメモリ１１２に格納されている設定値Ｘ１を「ｔｙ２」に変更する。設定値Ｘ１が「ｔｙ２」に変更されることにより、出力端子１０７から出力される出力信号ＳＳのタイプはブラックバースト信号に変更される。設定値Ｘ１が「ｔｙ２」に変更された場合、制御部１０９は、通知情報ｉ３２を表示部１１１の所定の領域Ａ１に表示する。通知情報ｉ３２は、出力端子１０７から出力される出力信号ＳＳのタイプがブラックバースト信号に設定されていることを示す。通知情報ｉ３２は、１つ以上の文字、１つ以上の記号、１つ以上の画像の少なくとも一つから構成されている。表示部１１１の所定の領域Ａ１に表示された通知情報ｉ３２を見ることにより、ユーザは、出力端子１０７から出力される出力信号ＳＳのタイプがブラックバースト信号に設定されていることを知ることができる。
【００７５】
ステップＳ３０６において、制御部１０９は、Ｓメモリ１１２に格納されている設定値Ｘ１を「ｔｙ３」に変更する。設定値Ｘ１が「ｔｙ３」に変更されることにより、出力端子１０７から出力される出力信号ＳＳのタイプはＨＤコンポーネント輝度信号に変更される。設定値Ｘ１が「ｔｙ３」に変更された場合、制御部１０９は、通知情報ｉ３３を表示部１１１の所定の領域Ａ１に表示する。通知情報ｉ３３は、出力端子１０７から出力される出力信号ＳＳのタイプがＨＤコンポーネント輝度信号に設定されていることを示す。通知情報ｉ３３は、１つ以上の文字、１つ以上の記号、１つ以上の画像の少なくとも一つから構成されている。表示部１１１の所定の領域Ａ１に表示された通知情報ｉ３３を見ることにより、ユーザは、出力端子１０７から出力される出力信号ＳＳのタイプがＨＤコンポーネント輝度信号に設定されていることを知ることができる。
【００７６】
ステップＳ３０７において、制御部１０９は、Ｓメモリ１１２に格納されている設定値Ｘ１を「ｔｙ４」に変更する。設定値Ｘ１が「ｔｙ４」に変更されることにより、出力端子１０７から出力される出力信号ＳＳのタイプは３値同期信号に変更される。設定値Ｘ１が「ｔｙ４」に変更された場合、制御部１０９は、通知情報ｉ３４を表示部１１１の所定の領域Ａ１に表示する。通知情報ｉ３４は、出力端子１０７から出力される出力信号ＳＳのタイプが３値同期信号に設定されていることを示す。通知情報ｉ３４は、１つ以上の文字、１つ以上の記号、１つ以上の画像の少なくとも一つから構成されている。表示部１１１の所定の領域Ａ１に表示される通知情報ｉ３４を見ることにより、ユーザは、出力端子１０７から出力される出力信号ＳＳのタイプが３値同期信号に設定されていることを知ることができる。
【００７７】
図３に示す手順により、ユーザは、出力端子１０７から出力される出力信号ＳＳのタイプを自由に変更することができる。また、表示部１１１の所定の領域Ａ１を見ることにより、ユーザは、出力端子１０７から出力される出力信号ＳＳのタイプを知ることができる。
【００７８】
図４は、本発明の実施形態１に係る画像出力装置１００で実行される出力信号制御処理ＰＳ２を説明するためのフローチャートである。制御部１０９がＰメモリ１０８に格納されている１つ以上のプログラムを実行することにより、画像出力装置１００は出力信号制御処理ＰＳ２を実行することができる。
【００７９】
ステップＳ４０１において、制御部１０９は、画像出力装置１００の動作モードを判定する。
【００８０】
画像出力装置１００の動作モードがカメラモードＣ１〜Ｃ４及びＣ６〜Ｃ９のうちのいずれかである場合は、制御部１０９は、ステップＳ４０１からステップＳ４０２に進む（ステップＳ４０１で「Ｃ１〜Ｃ４，Ｃ６〜Ｃ９」）。
【００８１】
画像出力装置１００の動作モードがカメラモードＣ５及びＣ１０のうちのどれかである場合は、制御部１０９は、ステップＳ４０１からステップＳ４０７に進む（ステップＳ４０１で「Ｃ５，Ｃ１０」）。画像出力装置１００で生成される動画像データＭＶのフレームレートが「２４．００ｐ」である場合、制御部１０９は、ステップＳ４０１からステップＳ４０７に進むことになる。
【００８２】
画像出力装置１００の動作モードが再生モードＰ１である場合は、制御部１０９は、ステップＳ４０１に戻る（ステップＳ４０１で「Ｐ１」）。
【００８３】
ステップＳ４０２において、制御部１０９は、Ｓメモリ１１２に格納されている設定値Ｘ１が「ｔｙ１」、「ｔｙ２」、「ｔｙ３」及び「ｔｙ４」のうちのどれであるかを判定する。
【００８４】
設定値Ｘ１が「ｔｙ１」である場合、制御部１０９は、ステップＳ４０２からステップＳ４０３に進む（ステップＳ４０２で「ｔｙ１」）。設定値Ｘ１が「ｔｙ１」である場合、出力信号ＳＳのタイプはコンポジットビデオ信号である。
【００８５】
設定値Ｘ１が「ｔｙ２」である場合、制御部１０９は、ステップＳ４０２からステップＳ４０４に進む（ステップＳ４０２で「ｔｙ２」）。設定値Ｘ１が「ｔｙ２」である場合、出力信号ＳＳのタイプはブラックバースト信号である。
【００８６】
設定値Ｘ１が「ｔｙ３」である場合、制御部１０９は、ステップＳ４０２からステップＳ４０５に進む（ステップＳ４０２で「ｔｙ３」）。設定値Ｘ１が「ｔｙ３」である場合、出力信号ＳＳのタイプはＨＤコンポーネント輝度信号である。
【００８７】
設定値Ｘ１が「ｔｙ４」である場合、制御部１０９は、ステップＳ４０２からステップＳ４０６に進む（ステップＳ４０２で「ｔｙ４」）。設定値Ｘ１が「ｔｙ４」である場合、出力信号ＳＳのタイプは３値同期信号である。
【００８８】
ステップＳ４０３において、制御部１０９は、出力信号Ｓ１を選択することを示す指示を選択部２０１に供給する。この指示に従って、選択部２０１は、出力信号Ｓ１〜Ｓ４のうちから出力信号Ｓ１を選択する。選択された出力信号Ｓ１は、出力信号ＳＳとして選択部２０１からドライバ２０２に供給される。この結果、出力端子１０７からは、ＳＤ画像信号を含むコンポジットビデオ信号が出力されることになる。画像出力装置１００の動作モードがカメラモードＣ１、Ｃ２、Ｃ６又はＣ７である場合、出力端子１０７から出力されるコンポジットビデオ信号の画素数及びフレームレートは、「７２０×４８０」及び「５９．９４ｉ」である。画像出力装置１００の動作モードがカメラモードＣ３、Ｃ４、Ｃ８又はＣ９である場合、出力端子１０７から出力されるコンポジットビデオ信号の画素数及びフレームレートは、「７２０×５７６」及び「５０ｉ」である。
【００８９】
また、ステップＳ４０３において、制御部１０９は、通知情報ｉ４１を表示部１１１の所定の領域Ｂ１に表示する。通知情報ｉ４１は、出力端子１０７から出力される出力信号ＳＳがコンポジットビデオ信号であることを示す情報を含む。通知情報ｉ４１は、１つ以上の文字、１つ以上の記号、１つ以上の画像の少なくとも一つから構成されている。表示部１１１の所定の領域Ｂ１に表示された通知情報ｉ４１を見ることにより、ユーザは、出力端子１０７から出力される出力信号ＳＳがコンポジットビデオ信号であることを知ることができる。通知情報ｉ４１はさらに、出力端子１０７から出力される出力信号ＳＳの画素数及びフレームレートを示す情報を含むものでもよい。この場合、ユーザは、通知情報ｉ４１を見ることにより、出力端子１０７から出力される出力信号ＳＳの画素数及びフレームレートを知ることができる。
【００９０】
ステップＳ４０４において、制御部１０９は、出力信号Ｓ２を選択することを示す指示を選択部２０１に供給する。この指示に従って、選択部２０１は、出力信号Ｓ１〜Ｓ４のうちから出力信号Ｓ２を選択する。選択された出力信号Ｓ２は、出力信号ＳＳとして選択部２０１からドライバ２０２に供給される。この結果、出力端子１０７からは、第１の同期信号であるブラックバースト信号が出力されることになる。画像出力装置１００の動作モードがカメラモードＣ１、Ｃ２、Ｃ６又はＣ７である場合、出力端子１０７から出力されるブラックバースト信号の画素数及びフレームレートは、「７２０×４８０」及び「５９．９４ｉ」である。画像出力装置１００の動作モードがカメラモードＣ３、Ｃ４、Ｃ８又はＣ９である場合、出力端子１０７から出力されるブラックバースト信号の画素数及びフレームレートは、「７２０×５７６」及び「５０ｉ」である。
【００９１】
また、ステップＳ４０４において、制御部１０９は、通知情報ｉ４２を表示部１１１の所定の領域Ｂ１に表示する。通知情報ｉ４２は、出力端子１０７から出力される出力信号ＳＳがブラックバースト信号であることを示す情報を含む。通知情報ｉ４２は、１つ以上の文字、１つ以上の記号、１つ以上の画像の少なくとも一つから構成されている。表示部１１１の所定の領域Ｂ１に表示された通知情報ｉ４２を見ることにより、ユーザは、出力端子１０７から出力される出力信号ＳＳがブラックバースト信号であることを知ることができる。通知情報ｉ４２はさらに、出力端子１０７から出力される出力信号ＳＳの画素数及びフレームレートを示す情報を含むものでもよい。この場合、ユーザは、通知情報ｉ４２を見ることにより、出力端子１０７から出力される出力信号ＳＳの画素数及びフレームレートを知ることができる。
【００９２】
ステップＳ４０５において、制御部１０９は、出力信号Ｓ３を選択することを示す指示を選択部２０１に供給する。この指示に従って、選択部２０１は、出力信号Ｓ１〜Ｓ４のうちから出力信号Ｓ３を選択する。選択された出力信号Ｓ３は、出力信号ＳＳとして選択部２０１からドライバ２０２に供給される。この結果、出力端子１０７からは、ＨＤコンポーネント輝度信号が出力されることになる。画像出力装置１００の動作モードがカメラモードＣ１又はＣ２である場合、出力端子１０７から出力されるＨＤコンポーネント輝度信号の画素数及びフレームレートは、「１９２０×１０８０」及び「５９．９４ｉ」である。画像出力装置１００の動作モードがカメラモードＣ３又はＣ４である場合、出力端子１０７から出力されるＨＤコンポーネント輝度信号の画素数及びフレームレートは、「１９２０×１０８０」及び「５０ｉ」である。画像出力装置１００の動作モードがカメラモードＣ６又はＣ７である場合、出力端子１０７から出力されるＨＤコンポーネント輝度信号の画素数及びフレームレートは、「１２８０×７２０」及び「５９．９４ｐ」である。画像出力装置１００の動作モードがカメラモードＣ８又はＣ９である場合、出力端子１０７から出力されるＨＤコンポーネント輝度信号の画素数及びフレームレートは、「１２８０×７２０」及び「５０ｐ」である。
【００９３】
また、ステップＳ４０５において、制御部１０９は、通知情報ｉ４３を表示部１１１の所定の領域Ｂ１に表示する。通知情報ｉ４３は、出力端子１０７から出力される出力信号ＳＳがＨＤコンポーネント輝度信号であることを示す情報を含む。通知情報ｉ４３は、１つ以上の文字、１つ以上の記号、１つ以上の画像の少なくとも一つから構成されている。表示部１１１の所定の領域Ｂ１に表示された通知情報ｉ４３を見ることにより、ユーザは、出力端子１０７から出力される出力信号ＳＳがＨＤコンポーネント輝度信号であることを知ることができる。通知情報ｉ４３はさらに、出力端子１０７から出力される出力信号ＳＳの画素数及びフレームレートを示す情報を含むものでもよい。この場合、ユーザは、通知情報ｉ４３を見ることにより、出力端子１０７から出力される出力信号ＳＳの画素数及びフレームレートを知ることができる。
【００９４】
ステップＳ４０６において、制御部１０９は、出力信号Ｓ４を選択することを示す指示を選択部２０１に供給する。この指示に従って、選択部２０１は、出力信号Ｓ１〜Ｓ４のうちから出力信号Ｓ４を選択する。選択された出力信号Ｓ４は、出力信号ＳＳとして選択部２０１からドライバ２０２に供給される。この結果、出力端子１０７からは、第１の同期信号である３値同期信号が出力されることになる。画像出力装置１００の動作モードがカメラモードＣ１又はＣ２である場合、出力端子１０７から出力される３値同期信号の画素数及びフレームレートは、「１９２０×１０８０」及び「５９．９４ｉ」である。画像出力装置１００の動作モードがカメラモードＣ３又はＣ４である場合、出力端子１０７から出力される３値同期信号の画素数及びフレームレートは、「１９２０×１０８０」及び「５０ｉ」である。画像出力装置１００の動作モードがカメラモードＣ６又はＣ７である場合、出力端子１０７から出力される３値同期信号の画素数及びフレームレートは、「１２８０×７２０」及び「５９．９４ｐ」である。画像出力装置１００の動作モードがカメラモードＣ８又はＣ９である場合、出力端子１０７から出力される３値同期信号の画素数及びフレームレートは、「１２８０×７２０」及び「５０ｉ」である。
【００９５】
また、ステップＳ４０６において、制御部１０９は、通知情報ｉ４４を表示部１１１の所定の領域Ｂ１に表示する。通知情報ｉ４４は、出力端子１０７から出力される出力信号ＳＳが３値同期信号であることを示す情報を含む。通知情報ｉ４４は、１つ以上の文字、１つ以上の記号、１つ以上の画像の少なくとも一つから構成されている。表示部１１１の所定の領域Ｂ１に表示された通知情報ｉ４４を見ることにより、ユーザは、出力端子１０７から出力される出力信号ＳＳが３値同期信号であることを知ることができる。通知情報ｉ４４はさらに、出力端子１０７から出力される出力信号ＳＳの画素数及びフレームレートを示す情報を含むものでもよい。この場合、ユーザは、通知情報ｉ４４を見ることにより、出力端子１０７から出力される出力信号ＳＳの画素数及びフレームレートを知ることができる。
【００９６】
ステップＳ４０７において、制御部１０９は、Ｓメモリ１１２に格納されている設定値Ｘ１が「ｔｙ１」、「ｔｙ２」、「ｔｙ３」及び「ｔｙ４」のうちのどれであるかを判定する。
【００９７】
設定値Ｘ１が「ｔｙ１」である場合、制御部１０９は、ステップＳ４０７からステップＳ４０８に進む（ステップＳ４０７で「ｔｙ１」）。設定値Ｘ１が「ｔｙ１」である場合、出力信号ＳＳのタイプはコンポジットビデオ信号である。
【００９８】
設定値Ｘ１が「ｔｙ２」である場合、制御部１０９は、ステップＳ４０７からステップＳ４０９に進む（ステップＳ４０７で「ｔｙ２」）。設定値Ｘ１が「ｔｙ２」である場合、出力信号ＳＳのタイプはブラックバースト信号である。
【００９９】
設定値Ｘ１が「ｔｙ３」である場合、制御部１０９は、ステップＳ４０７からステップＳ４１０に進む（ステップＳ４０７で「ｔｙ３」）。設定値Ｘ１が「ｔｙ３」である場合、出力信号ＳＳのタイプはＨＤコンポーネント輝度信号である。
【０１００】
設定値Ｘ１が「ｔｙ４」である場合、制御部１０９は、ステップＳ４０７からステップＳ４１１に進む（ステップＳ４０７で「ｔｙ４」）。設定値Ｘ１が「ｔｙ４」である場合、出力信号ＳＳのタイプは３値同期信号である。
【０１０１】
ここで、画像出力装置１００の動作モードがカメラモードＣ５である場合、画像出力装置１００は、フレームレートが「２４．００ｐ」である動画像データＭＶからコンポジットビデオ信号とブラックバースト信号とを生成することになる。この場合、コンポジットビデオ信号及びブラックバースト信号のフレームレートはいずれも、「５９．９４ｉ」ではなく「６０ｉ」である。そのため、コンポジットビデオ信号及びブラックバースト信号はいずれも、ＳＭＰＴＥ１７０Ｍ規格に準拠しない信号になってしまう。この問題は、画像出力装置１００の動作モードがカメラモードＣ１０である場合にも生じる。そこで、実施形態１では、フレームレートが「６０ｉ」となるコンポジットビデオ信号が出力端子１０７から出力されないようにするために、ステップＳ４０７で所定の処理を行う。また、実施形態１では、フレームレートが「６０ｉ」となるブラックバースト信号が出力端子１０７から出力されないようにするために、ステップＳ４０８で所定の処理を行う。
【０１０２】
ステップＳ４０８において、制御部１０９は、出力信号Ｓ１〜Ｓ４のいずれも選択しないことを示す指示を選択部２０１に供給する。この指示により、出力信号Ｓ１〜Ｓ４の出力端子１０７からの出力が自動的に停止されることになる。その結果、ＳＭＰＴＥ１７０Ｍ規格に準拠しない信号が出力端子１０７から出力されてしまう問題を解決することができる。
【０１０３】
また、ステップＳ４０８において、制御部１０９は、通知情報ｉ４５を表示部１１１の所定の領域Ｂ１に表示する。通知情報ｉ４５は、出力端子１０７から何も出力されていないことを示す情報を含む。通知情報ｉ４５は、１つ以上の文字、１つ以上の記号、１つ以上の画像の少なくとも一つから構成されている。表示部１１１の所定の領域Ｂ１に表示された通知情報ｉ４５を見ることにより、ユーザは、出力端子１０７から何も出力されていないことを知ることができる。
【０１０４】
ステップＳ４０９において、制御部１０９は、出力信号Ｓ１〜Ｓ４のいずれも選択しないことを示す指示を選択部２０１に供給する。この指示により、出力信号Ｓ１〜Ｓ４の出力端子１０７からの出力が自動的に停止されることになる。その結果、ＳＭＰＴＥ１７０Ｍ規格に準拠しない信号が出力端子１０７から出力されてしまう問題を解決することができる。
【０１０５】
また、ステップＳ４０９において、制御部１０９は、通知情報ｉ４６を表示部１１１の所定の領域Ｂ１に表示する。通知情報ｉ４６は、出力端子１０７から何も出力されていないことを示す情報を含む。通知情報ｉ４６は、１つ以上の文字、１つ以上の記号、１つ以上の画像の少なくとも一つから構成されている。表示部１１１の所定の領域Ｂ１に表示された通知情報ｉ４６を見ることにより、ユーザは、出力端子１０７から何も出力されていないことを知ることができる。
【０１０６】
ステップＳ４１０において、制御部１０９は、出力信号Ｓ３を選択することを示す指示を選択部２０１に供給する。この指示に従って、選択部２０１は、出力信号Ｓ１〜Ｓ４のうちから出力信号Ｓ３を選択する。選択された出力信号Ｓ３は、出力信号ＳＳとして選択部２０１からドライバ２０２に供給される。この結果、出力端子１０７からは、ＨＤコンポーネント輝度信号が出力されることになる。画像出力装置１００の動作モードがカメラモードＣ５である場合、出力端子１０７から出力されるＨＤコンポーネント輝度信号の画素数及びフレームレートは、「１９２０×１０８０」及び「６０ｉ」である。画像出力装置１００の動作モードがカメラモードＣ１０である場合、出力端子１０７から出力されるＨＤコンポーネント輝度信号の画素数及びフレームレートは、「１２８０×７２０」及び「６０ｐ」である。
【０１０７】
また、ステップＳ４１０において、制御部１０９は、通知情報ｉ４７を表示部１１１の所定の領域Ｂ１に表示する。通知情報ｉ４７は、出力端子１０７から出力される出力信号ＳＳがＨＤコンポーネント輝度信号であることを示す情報を含む。通知情報ｉ４７は、１つ以上の文字、１つ以上の記号、１つ以上の画像の少なくとも一つから構成されている。表示部１１１の所定の領域Ｂ１に表示された通知情報ｉ４７を見ることにより、ユーザは、出力端子１０７から出力される出力信号ＳＳがＨＤコンポーネント輝度信号であることを知ることができる。通知情報ｉ４７はさらに、出力端子１０７から出力される出力信号ＳＳの画素数及びフレームレートを示す情報を含むものでもよい。この場合、ユーザは、通知情報ｉ４７を見ることにより、出力端子１０７から出力される出力信号ＳＳの画素数及びフレームレートを知ることができる。
【０１０８】
ステップＳ４１１において、制御部１０９は、出力信号Ｓ４を選択することを示す指示を選択部２０１に供給する。この指示に従って、選択部２０１は、出力信号Ｓ１〜Ｓ４のうちから出力信号Ｓ４を選択する。選択された出力信号Ｓ４は、出力信号ＳＳとして選択部２０１からドライバ２０２に供給される。この結果、出力端子１０７からは、第１の同期信号である３値同期信号が出力されることになる。画像出力装置１００の動作モードがカメラモードＣ５である場合、出力端子１０７から出力される３値同期信号の画素数及びフレームレートは、「１９２０×１０８０」及び「６０ｉ」である。画像出力装置１００の動作モードがカメラモードＣ１０である場合、出力端子１０７から出力される３値同期信号の画素数及びフレームレートは、「１２８０×７２０」及び「６０ｐ」である。
【０１０９】
また、ステップＳ４１１において、制御部１０９は、通知情報ｉ４８を表示部１１１の所定の領域Ｂ１に表示する。通知情報ｉ４８は、出力端子１０７から出力される出力信号ＳＳが３値同期信号であることを示す情報を含む。通知情報ｉ４８は、１つ以上の文字、１つ以上の記号、１つ以上の画像の少なくとも一つから構成されている。表示部１１１の所定の領域Ｂ１に表示された通知情報ｉ４８を見ることにより、ユーザは、出力端子１０７から出力される出力信号ＳＳが３値同期信号であることを知ることができる。通知情報ｉ４８はさらに、出力端子１０７から出力される出力信号ＳＳの画素数及びフレームレートを示す情報を含むものでもよい。この場合、ユーザは、通知情報ｉ４８を見ることにより、出力端子１０７から出力される出力信号ＳＳの画素数及びフレームレートを知ることができる。
【０１１０】
図４に示す手順により、画像出力装置１００は、画像出力装置１００の動作モードのタイプに基づいて、出力端子１０７から出力される出力信号ＳＳのタイプを自動的に選択することができる。
【０１１１】
例えば、実施形態１では、画像出力装置１００の動作モードがカメラモードＣ１〜Ｃ４及びＣ６〜Ｃ９のいずれかである場合、出力端子１０７から出力される出力信号ＳＳのタイプは、ユーザが図３に示す手順に従って設定した通りになる。
【０１１２】
また例えば、実施形態１では、画像出力装置１００の動作モードがカメラモードＣ５及びＣ１０のいずれかである場合、出力信号Ｓ１〜Ｓ４の出力端子１０７からの出力が自動的に停止されるように構成した。画像出力装置１００の動作モードがカメラモードＣ５及びＣ１０のいずれかである場合に生成されるコンポジットビデオ信号及びブラックバースト信号は、ＳＭＰＴＥ１７０Ｍ規格に準拠しない信号であるためである。このような構成により、実施形態１の画像出力装置１００では、ＳＭＰＴＥ１７０Ｍ規格に準拠しない信号が出力されてしまう問題を回避することができる。
【０１１３】
［実施形態２］
次に、図１、図２、図３、図５及び図７を参照して本発明の実施形態２を説明する。実施形態２では、実施形態１と異なる部分について説明し、実施形態１と同一の部分についての説明は省略する。
【０１１４】
図５は、本発明の実施形態２に係る画像出力装置１００で実行される出力信号制御処理ＰＳ３を説明するためのフローチャートである。制御部１０９がＰメモリ１０８に格納されている１つ以上のプログラムを実行することにより、画像出力装置１００は出力信号制御処理ＰＳ３を実行することができる。
【０１１５】
ステップＳ５０１において、制御部１０９は、画像出力装置１００の動作モードを判定する。
【０１１６】
画像出力装置１００の動作モードがカメラモードＣ１〜Ｃ４及びＣ６〜Ｃ９のうちのいずれかである場合は、制御部１０９は、ステップＳ５０１からステップＳ４０２に進む（ステップＳ５０１で「Ｃ１〜Ｃ４，Ｃ６〜Ｃ９」）。
【０１１７】
画像出力装置１００の動作モードがカメラモードＣ５及びＣ１０のうちのどれかである場合は、制御部１０９は、ステップＳ５０１からステップＳ５０２に進む（ステップＳ５０１で「Ｃ５，Ｃ１０」）。画像出力装置１００で生成される動画像データＭＶのフレームレートが「２４．００ｐ」である場合、制御部１０９は、ステップＳ５０１からステップＳ５０２に進むことになる。
【０１１８】
画像出力装置１００の動作モードが再生モードＰ１である場合は、制御部１０９は、ステップＳ５０１に戻る（ステップＳ５０１で「Ｐ１」）。
【０１１９】
実施形態２のステップＳ４０１〜Ｓ４０６で行われる処理は、実施形態１のステップＳ４０１〜Ｓ４０６で行われる処理と同じであるので、実施形態２では実施形態２のステップＳ４０１〜Ｓ４０６で行われる処理の説明を省略する。
【０１２０】
ステップＳ５０２において、制御部１０９は、Ｓメモリ１１２に格納されている設定値Ｘ１が「ｔｙ１」、「ｔｙ２」、「ｔｙ３」及び「ｔｙ４」のうちのどれであるかを判定する。
【０１２１】
設定値Ｘ１が「ｔｙ１」である場合、制御部１０９は、ステップＳ５０２からステップＳ５０３に進む（ステップＳ５０２で「ｔｙ１」）。設定値Ｘ１が「ｔｙ１」である場合、出力信号ＳＳのタイプはコンポジットビデオ信号である。
【０１２２】
設定値Ｘ１が「ｔｙ２」である場合、制御部１０９は、ステップＳ５０２からステップＳ５０４に進む（ステップＳ５０２で「ｔｙ２」）。設定値Ｘ１が「ｔｙ２」である場合、出力信号ＳＳのタイプはブラックバースト信号である。
【０１２３】
設定値Ｘ１が「ｔｙ３」である場合、制御部１０９は、ステップＳ５０２からステップＳ５０５に進む（ステップＳ５０２で「ｔｙ３」）。設定値Ｘ１が「ｔｙ３」である場合、出力信号ＳＳのタイプはＨＤコンポーネント輝度信号である。
【０１２４】
設定値Ｘ１が「ｔｙ４」である場合、制御部１０９は、ステップＳ５０２からステップＳ５０６に進む（ステップＳ５０２で「ｔｙ４」）。設定値Ｘ１が「ｔｙ４」である場合、出力信号ＳＳのタイプは３値同期信号である。
【０１２５】
ここで、画像出力装置１００の動作モードがカメラモードＣ５である場合、画像出力装置１００は、フレームレートが「２４．００ｐ」である動画像データＭＶからコンポジットビデオ信号とブラックバースト信号とを生成することになる。この場合、コンポジットビデオ信号及びブラックバースト信号のフレームレートはいずれも、「５９．９４ｉ」ではなく「６０ｉ」である。そのため、コンポジットビデオ信号及びブラックバースト信号はいずれも、ＳＭＰＴＥ１７０Ｍ規格に準拠しない信号になってしまう。この問題は、画像出力装置１００の動作モードがカメラモードＣ１０である場合にも生じる。そこで、実施形態２では、フレームレートが「６０ｉ」となるコンポジットビデオ信号が出力端子１０７から出力されないようにするために、ステップＳ５０３でステップＳ４０８とは異なる処理を行う。また、実施形態２では、フレームレートが「６０ｉ」となるブラックバースト信号が出力端子１０７から出力されないようにするために、ステップＳ５０４でステップＳ４０９とは異なる処理を行う。
【０１２６】
ステップＳ５０３において、制御部１０９は、出力信号Ｓ１の代わりに出力信号Ｓ３を選択することを示す指示を選択部２０１に供給する。この指示に従って、選択部２０１は、出力信号Ｓ１〜Ｓ４のうちから出力信号Ｓ３を選択する。選択された出力信号Ｓ３は、出力信号ＳＳとして選択部２０１からドライバ２０２に供給される。この結果、出力端子１０７からは、コンポジットビデオ信号の代わりに、ＨＤコンポーネント輝度信号が出力されることになる。
【０１２７】
また、ステップＳ５０３において、制御部１０９は、通知情報ｉ５１を表示部１１１の所定の領域Ｂ１に表示する。通知情報ｉ５１は、出力端子１０７から出力される出力信号ＳＳがコンポジットビデオ信号ではなくＨＤコンポーネント輝度信号であることを示す情報を含む。通知情報ｉ５１は、１つ以上の文字、１つ以上の記号、１つ以上の画像の少なくとも一つから構成されている。表示部１１１の所定の領域Ｂ１に表示された通知情報ｉ５１を見ることにより、ユーザは、出力端子１０７から出力される出力信号ＳＳがコンポジットビデオ信号ではなくＨＤコンポーネント輝度信号であることを知ることができる。通知情報ｉ５１はさらに、出力端子１０７から出力される出力信号ＳＳの画素数及びフレームレートを示す情報を含むものでもよい。この場合、ユーザは、通知情報ｉ５１を見ることにより、出力端子１０７から出力される出力信号ＳＳの画素数及びフレームレートを知ることができる。
【０１２８】
ステップＳ５０４において、制御部１０９は、出力信号Ｓ２の代わりに出力信号Ｓ３を選択することを示す指示を選択部２０１に供給する。この指示に従って、選択部２０１は、出力信号Ｓ１〜Ｓ４のうちから出力信号Ｓ３を選択する。選択された出力信号Ｓ３は、出力信号ＳＳとして選択部２０１からドライバ２０２に供給される。この結果、出力端子１０７からは、ブラックバースト信号の代わりに、ＨＤコンポーネント輝度信号が出力されることになる。
【０１２９】
また、ステップＳ５０４において、制御部１０９は、通知情報ｉ５１を表示部１１１の所定の領域Ｂ１に表示する。表示部１１１の所定の領域Ｂ１に表示された通知情報ｉ５１を見ることにより、ユーザは、出力端子１０７から出力される出力信号ＳＳがＨＤコンポーネント輝度信号であることを知ることができる。通知情報ｉ５１はさらに、出力端子１０７から出力される出力信号ＳＳの画素数及びフレームレートを示す情報を含むものでもよい。この場合、ユーザは、通知情報ｉ５１を見ることにより、出力端子１０７から出力される出力信号ＳＳの画素数及びフレームレートを知ることができる。
【０１３０】
ステップＳ５０５において、制御部１０９は、出力信号Ｓ３を選択することを示す指示を選択部２０１に供給する。この指示に従って、選択部２０１は、出力信号Ｓ１〜Ｓ４のうちから出力信号Ｓ３を選択する。選択された出力信号Ｓ３は、出力信号ＳＳとして選択部２０１からドライバ２０２に供給される。この結果、出力端子１０７からは、ＨＤコンポーネント輝度信号が出力されることになる。画像出力装置１００の動作モードがカメラモードＣ５である場合、出力端子１０７から出力されるＨＤコンポーネント輝度信号の画素数及びフレームレートは、「１９２０×１０８０」及び「６０ｉ」である。画像出力装置１００の動作モードがカメラモードＣ１０である場合、出力端子１０７から出力されるＨＤコンポーネント輝度信号の画素数及びフレームレートは、「１２８０×７２０」及び「６０ｐ」である。
【０１３１】
また、ステップＳ５０５において、制御部１０９は、通知情報ｉ４７を表示部１１１の所定の領域Ｂ１に表示する。表示部１１１の所定の領域Ｂ１に表示された通知情報ｉ４７を見ることにより、ユーザは、出力端子１０７から出力される出力信号ＳＳがＨＤコンポーネント輝度信号であることを知ることができる。通知情報ｉ４７はさらに、出力端子１０７から出力される出力信号ＳＳの画素数及びフレームレートを示す情報を含むものでもよい。この場合、ユーザは、通知情報ｉ４７を見ることにより、出力端子１０７から出力される出力信号ＳＳの画素数及びフレームレートを知ることができる。
【０１３２】
ステップＳ５０６において、制御部１０９は、出力信号Ｓ４を選択することを示す指示を選択部２０１に供給する。この指示に従って、選択部２０１は、出力信号Ｓ１〜Ｓ４のうちから出力信号Ｓ４を選択する。選択された出力信号Ｓ４は、出力信号ＳＳとして選択部２０１からドライバ２０２に供給される。この結果、出力端子１０７からは、第２の同期信号である３値同期信号が出力されることになる。画像出力装置１００の動作モードがカメラモードＣ５である場合、出力端子１０７から出力される３値同期信号の画素数及びフレームレートは、「１９２０×１０８０」及び「６０ｉ」である。画像出力装置１００の動作モードがカメラモードＣ１０である場合、出力端子１０７から出力される３値同期信号の画素数及びフレームレートは、「１２８０×７２０」及び「６０ｐ」である。
【０１３３】
また、ステップＳ５０６において、制御部１０９は、通知情報ｉ４８を表示部１１１の所定の領域Ｂ１に表示する。表示部１１１の所定の領域Ｂ１に表示された通知情報ｉ４８を見ることにより、ユーザは、出力端子１０７から出力される出力信号ＳＳが３値同期信号であることを知ることができる。通知情報ｉ４８はさらに、出力端子１０７から出力される出力信号ＳＳの画素数及びフレームレートを示す情報を含むものでもよい。この場合、ユーザは、通知情報ｉ４８を見ることにより、出力端子１０７から出力される出力信号ＳＳの画素数及びフレームレートを知ることができる。
【０１３４】
図５に示す手順により、画像出力装置１００は、画像出力装置１００の動作モードのタイプに基づいて、出力端子１０７から出力される出力信号ＳＳのタイプを自動的に選択することができる。
【０１３５】
例えば、実施形態２では、画像出力装置１００の動作モードがカメラモードＣ１〜Ｃ４及びＣ６〜Ｃ９のいずれかである場合、出力端子１０７から出力される出力信号ＳＳのタイプは、ユーザが図３に示す手順に従って設定した通りになる。
【０１３６】
また例えば、実施形態２では、画像出力装置１００の動作モードがカメラモードＣ５及びＣ１０のいずれかである場合、コンポジットビデオ信号及びブラックバースト信号の出力は停止されるように構成した。そして、コンポジットビデオ信号及びブラックバースト信号の出力が停止される代わりに、ＨＤコンポーネント輝度信号が出力端子１０７から出力されるように構成した。画像出力装置１００の動作モードがカメラモードＣ５及びＣ１０のいずれかである場合に生成されるコンポジットビデオ信号及びブラックバースト信号は、ＳＭＰＴＥ１７０Ｍ規格に準拠しない信号であるためである。このような構成により、実施形態２の画像出力装置１００では、ＳＭＰＴＥ１７０Ｍ規格に準拠しない信号が出力されてしまう問題を回避することができる。
【０１３７】
［実施形態３］
次に、図１、図２、図３、図６及び図７を参照して本発明の実施形態３を説明する。実施形態３では、実施形態１及び２と異なる部分について説明し、実施形態１及び２と同一の部分についての説明は省略する。
【０１３８】
図６は、本発明の実施形態３に係る画像出力装置１００で実行される出力信号制御処理ＰＳ４を説明するためのフローチャートである。制御部１０９がＰメモリ１０８に格納されている１つ以上のプログラムを実行することにより、画像出力装置１００は出力信号制御処理ＰＳ４を実行することができる。
【０１３９】
ステップＳ６０１において、制御部１０９は、画像出力装置１００の動作モードを判定する。
【０１４０】
画像出力装置１００の動作モードがカメラモードＣ１〜Ｃ４及びＣ６〜Ｃ９のうちのいずれかである場合は、制御部１０９は、ステップＳ６０１からステップＳ４０２に進む（ステップＳ６０１で「Ｃ１〜Ｃ４，Ｃ６〜Ｃ９」）。
【０１４１】
画像出力装置１００の動作モードがカメラモードＣ５及びＣ１０のうちのどれかである場合は、制御部１０９は、ステップＳ６０１からステップＳ６０２に進む（ステップＳ６０１で「Ｃ５，Ｃ１０」）。画像出力装置１００で生成される動画像データＭＶのフレームレートが「２４．００ｐ」である場合、制御部１０９は、ステップＳ６０１からステップＳ６０２に進むことになる。
【０１４２】
画像出力装置１００の動作モードが再生モードＰ１である場合は、制御部１０９は、ステップＳ６０１に戻る（ステップＳ６０１で「Ｐ１」）。
【０１４３】
実施形態３のステップＳ４０１〜Ｓ４０６で行われる処理は、実施形態１のステップＳ４０１〜Ｓ４０６で行われる処理と同じであるので、実施形態３では実施形態３のステップＳ４０１〜Ｓ４０６で行われる処理の説明を省略する。
【０１４４】
ステップＳ６０２において、制御部１０９は、Ｓメモリ１１２に格納されている設定値Ｘ１が「ｔｙ１」、「ｔｙ２」、「ｔｙ３」及び「ｔｙ４」のうちのどれであるかを判定する。
【０１４５】
設定値Ｘ１が「ｔｙ１」である場合、制御部１０９は、ステップＳ６０２からステップＳ６０３に進む（ステップＳ６０２で「ｔｙ１」）。設定値Ｘ１が「ｔｙ１」である場合、出力信号ＳＳのタイプはコンポジットビデオ信号である。
【０１４６】
設定値Ｘ１が「ｔｙ２」である場合、制御部１０９は、ステップＳ６０２からステップＳ６０４に進む（ステップＳ６０２で「ｔｙ２」）。設定値Ｘ１が「ｔｙ２」である場合、出力信号ＳＳのタイプはブラックバースト信号である。
【０１４７】
設定値Ｘ１が「ｔｙ３」である場合、制御部１０９は、ステップＳ６０２からステップＳ６０５に進む（ステップＳ６０２で「ｔｙ３」）。設定値Ｘ１が「ｔｙ３」である場合、出力信号ＳＳのタイプはＨＤコンポーネント輝度信号である。
【０１４８】
設定値Ｘ１が「ｔｙ４」である場合、制御部１０９は、ステップＳ６０２からステップＳ６０６に進む（ステップＳ６０２で「ｔｙ４」）。設定値Ｘ１が「ｔｙ４」である場合、出力信号ＳＳのタイプは３値同期信号である。
【０１４９】
ここで、画像出力装置１００の動作モードがカメラモードＣ５である場合、画像出力装置１００は、フレームレートが「２４．００ｐ」である動画像データＭＶからコンポジットビデオ信号とブラックバースト信号とを生成することになる。この場合、コンポジットビデオ信号及びブラックバースト信号のフレームレートはいずれも、「５９．９４ｉ」ではなく「６０ｉ」である。そのため、コンポジットビデオ信号及びブラックバースト信号はいずれも、ＳＭＰＴＥ１７０Ｍ規格に準拠しない信号になってしまう。この問題は、画像出力装置１００の動作モードがカメラモードＣ１０である場合にも生じる。そこで、実施形態３では、フレームレートが「６０ｉ」となるコンポジットビデオ信号が出力端子１０７から出力されないようにするために、ステップＳ６０３でステップＳ４０８とは異なる処理を行う。また、実施形態３では、フレームレートが「６０ｉ」となるブラックバースト信号が出力端子１０７から出力されないようにするために、ステップＳ６０４でステップＳ４０９とは異なる処理を行う。
【０１５０】
ステップＳ６０３において、制御部１０９は、出力信号Ｓ１の代わりに出力信号Ｓ３を選択することを示す指示を選択部２０１に供給する。この指示に従って、選択部２０１は、出力信号Ｓ１〜Ｓ４のうちから出力信号Ｓ３を選択する。選択された出力信号Ｓ３は、出力信号ＳＳとして選択部２０１からドライバ２０２に供給される。この結果、出力端子１０７からは、コンポジットビデオ信号の代わりに、ＨＤコンポーネント輝度信号が出力されることになる。
【０１５１】
また、ステップＳ６０３において、制御部１０９は、通知情報ｉ５１を表示部１１１の所定の領域Ｂ１に表示する。表示部１１１の所定の領域Ｂ１に表示された通知情報ｉ５１を見ることにより、ユーザは、出力端子１０７から出力される出力信号ＳＳがＨＤコンポーネント輝度信号であることを知ることができる。通知情報ｉ５１はさらに、出力端子１０７から出力される出力信号ＳＳの画素数及びフレームレートを示す情報を含むものでもよい。この場合、ユーザは、通知情報ｉ５１を見ることにより、出力端子１０７から出力される出力信号ＳＳの画素数及びフレームレートを知ることができる。
【０１５２】
ステップＳ６０４において、制御部１０９は、出力信号Ｓ２の代わりに出力信号Ｓ４を選択することを示す指示を選択部２０１に供給する。この指示に従って、選択部２０１は、出力信号Ｓ１〜Ｓ４のうちから出力信号Ｓ４を選択する。選択された出力信号Ｓ４は、出力信号ＳＳとして選択部２０１からドライバ２０２に供給される。この結果、出力端子１０７からは、ブラックバースト信号の代わりに、第２の同期信号である３値同期信号が出力されることになる。
【０１５３】
また、ステップＳ６０４において、制御部１０９は、通知情報ｉ６１を表示部１１１の所定の領域Ｂ１に表示する。通知情報ｉ６１は、出力端子１０７から出力される出力信号ＳＳがブラックバースト信号ではなく３値同期信号であることを示す情報を含む。通知情報ｉ６１は、１つ以上の文字、１つ以上の記号、１つ以上の画像の少なくとも一つから構成されている。表示部１１１の所定の領域Ｂ１に表示された通知情報ｉ６１を見ることにより、ユーザは、出力端子１０７から出力される出力信号ＳＳがブラックバースト信号ではなく３値同期信号であることを知ることができる。通知情報ｉ５１はさらに、出力端子１０７から出力される出力信号ＳＳの画素数及びフレームレートを示す情報を含むものでもよい。この場合、ユーザは、通知情報ｉ５１を見ることにより、出力端子１０７から出力される出力信号ＳＳの画素数及びフレームレートを知ることができる。
【０１５４】
ステップＳ６０５において、制御部１０９は、出力信号Ｓ３を選択することを示す指示を選択部２０１に供給する。この指示に従って、選択部２０１は、出力信号Ｓ１〜Ｓ４のうちから出力信号Ｓ３を選択する。選択された出力信号Ｓ３は、出力信号ＳＳとして選択部２０１からドライバ２０２に供給される。この結果、出力端子１０７からは、ＨＤコンポーネント輝度信号が出力されることになる。画像出力装置１００の動作モードがカメラモードＣ５である場合、出力端子１０７から出力されるＨＤコンポーネント輝度信号の画素数及びフレームレートは、「１９２０×１０８０」及び「６０ｉ」である。画像出力装置１００の動作モードがカメラモードＣ１０である場合、出力端子１０７から出力されるＨＤコンポーネント輝度信号の画素数及びフレームレートは、「１２８０×７２０」及び「６０ｐ」である。
【０１５５】
また、ステップＳ６０５において、制御部１０９は、通知情報ｉ４７を表示部１１１の所定の領域Ｂ１に表示する。表示部１１１の所定の領域Ｂ１に表示された通知情報ｉ４７を見ることにより、ユーザは、出力端子１０７から出力される出力信号ＳＳがＨＤコンポーネント輝度信号であることを知ることができる。通知情報ｉ４７はさらに、出力端子１０７から出力される出力信号ＳＳの画素数及びフレームレートを示す情報を含むものでもよい。この場合、ユーザは、通知情報ｉ４７を見ることにより、出力端子１０７から出力される出力信号ＳＳの画素数及びフレームレートを知ることができる。
【０１５６】
ステップＳ６０６において、制御部１０９は、出力信号Ｓ４を選択することを示す指示を選択部２０１に供給する。この指示に従って、選択部２０１は、出力信号Ｓ１〜Ｓ４のうちから出力信号Ｓ４を選択する。選択された出力信号Ｓ４は、出力信号ＳＳとして選択部２０１からドライバ２０２に供給される。この結果、出力端子１０７からは、第２の同期信号である３値同期信号が出力されることになる。画像出力装置１００の動作モードがカメラモードＣ５である場合、出力端子１０７から出力される３値同期信号の画素数及びフレームレートは、「１９２０×１０８０」及び「６０ｉ」である。画像出力装置１００の動作モードがカメラモードＣ１０である場合、出力端子１０７から出力される３値同期信号の画素数及びフレームレートは、「１２８０×７２０」及び「６０ｐ」である。
【０１５７】
また、ステップＳ６０６において、制御部１０９は、通知情報ｉ４８を表示部１１１の所定の領域Ｂ１に表示する。表示部１１１の所定の領域Ｂ１に表示された通知情報ｉ４８を見ることにより、ユーザは、出力端子１０７から出力される出力信号ＳＳが３値同期信号であることを知ることができる。通知情報ｉ４８はさらに、出力端子１０７から出力される出力信号ＳＳの画素数及びフレームレートを示す情報を含むものでもよい。この場合、ユーザは、通知情報ｉ４８を見ることにより、出力端子１０７から出力される出力信号ＳＳの画素数及びフレームレートを知ることができる。
【０１５８】
図６に示す手順により、画像出力装置１００は、画像出力装置１００の動作モードのタイプに基づいて、出力端子１０７から出力される出力信号ＳＳのタイプを自動的に選択することができる。
【０１５９】
例えば、実施形態３では、画像出力装置１００の動作モードがカメラモードＣ１〜Ｃ４及びＣ６〜Ｃ９のいずれかである場合、出力端子１０７から出力される出力信号ＳＳのタイプは、ユーザが図３に示す手順に従って設定した通りになる。
【０１６０】
また例えば、実施形態３では、画像出力装置１００の動作モードがカメラモードＣ５及びＣ１０のいずれかである場合、コンポジットビデオ信号及びブラックバースト信号の出力は停止されるように構成した。そして、コンポジットビデオ信号及びブラックバースト信号の出力が停止される代わりに、ＨＤコンポーネント輝度信号又は３値同期信号が出力端子１０７から出力されるように構成した。画像出力装置１００の動作モードがカメラモードＣ５及びＣ１０のいずれかである場合に生成されるコンポジットビデオ信号及びブラックバースト信号は、ＳＭＰＴＥ１７０Ｍ規格に準拠しない信号であるためである。このような構成により、実施形態３の画像出力装置１００では、ＳＭＰＴＥ１７０Ｍ規格に準拠しない信号が出力されてしまう問題を回避することができる。
【０１６１】
［実施形態４］
実施形態１〜３で説明した様々な機能及び処理は、パーソナルコンピュータ、マイクロコンピュータ、ＣＰＵ（Ｃｅｎｔｒａｌ  Ｐｒｏｃｅｓｓｉｎｇ  Ｕｎｉｔ）などがプログラムを用いて実現することもできる。以下、実施形態４では、パーソナルコンピュータ、マイクロコンピュータ、ＣＰＵなどを「コンピュータＸ」と呼ぶ。また、実施形態４では、コンピュータＸを制御するためのプログラムであって、実施形態１〜３で説明した様々な機能及び処理を実現するためのプログラムを「プログラムＹ」と呼ぶ。
【０１６２】
実施形態１〜３で説明した様々な機能及び処理は、コンピュータＸがプログラムＹを実行することによって実現される。この場合において、プログラムＹは、コンピュータ読み取り可能な記憶媒体を介してコンピュータＸに供給される。実施形態４におけるコンピュータ読み取り可能な記憶媒体は、ハードディスク装置、光ディスク、ＣＤ−ＲＯＭ、ＣＤ−Ｒ、メモリカード、ＲＯＭ、ＲＡＭなどの少なくとも一つを含む。また、実施形態４におけるコンピュータ読み取り可能な記憶媒体は、ｎｏｎ−ｔｒａｎｓｉｔｏｒｙ（非一時的）な記憶媒体である。
【符号の説明】
【０１６３】
１００  画像出力装置
１０１  撮像部
１０２  画像処理部
１０３  記録再生部
１０４  記憶媒体
１０５  出力信号生成部
１０６  出力制御部
１０７  出力端子
１０８  Ｐメモリ
１０９  制御部
１１０  ＵＩ部
１１１  表示部
１１２  Ｓメモリ
【図１】
0005932293.tif 000002
【図２】
0005932293.tif 000003
【図３】
0005932293.tif 000004
【図４】
0005932293.tif 000005
【図５】
0005932293.tif 000006
【図６】
0005932293.tif 000007
【図７】
0005932293.tif 000008